(57)【要約】【課題】内燃機関を始動させようとしたときに機関始動時間を目標とする機関始動時間の少なくとも近傍に制御すると共に燃費の向上を図る。【解決手段】燃料噴射弁６から噴射される燃料の動粘度が予め定められた動粘度ＫＶｔｈであるときに内燃機関を始動させようとしてから予め定められた時間で燃焼を開始させることができる燃料の量を目標燃料量として該目標燃料量の燃料を燃料噴射弁から噴射する。燃料の動粘度が予め定められた動粘度よりも低いときには燃料噴射弁から噴射する燃料の量を目標燃料量よりも少なくする。燃料の動粘度が予め定められた動粘度よりも高いときには燃料噴射弁から噴射する燃料の量を目標燃料量よりも多くする。【選択図】図３
2007327422.tif 000002
【特許請求の範囲】
【請求項１】
燃料噴射弁から噴射される燃料の動粘度が予め定められた動粘度であるときに内燃機関を始動させようとしてから予め定められた時間で燃焼を開始させることができる燃料の量を目標燃料量として該目標燃料量の燃料を燃料噴射弁から噴射する内燃機関の燃料噴射制御装置において、燃料の動粘度が前記予め定められた動粘度よりも低いときには燃料噴射弁から噴射する燃料の量を前記目標燃料量よりも少なくすると共に、燃料の動粘度が前記予め定められた動粘度よりも高いときには燃料噴射弁から噴射する燃料の量を前記目標燃料量よりも多くすることを特徴とする内燃機関の燃料噴射制御装置。
【請求項２】
燃料噴射弁から噴射される燃料の圧力を予め定められた圧力に制御すると共に、燃料噴射弁から噴射される燃料の動粘度が予め定められた動粘度であるときに内燃機関を始動させようとしてから予め定められた時間で燃焼を開始させることができる燃料の量を目標燃料量として該目標燃料量の燃料を燃料噴射弁から噴射する内燃機関の燃料噴射制御装置において、燃料の動粘度が前記予め定められた動粘度よりも低いときには燃料噴射弁から噴射する燃料の圧力を前記予め定められた圧力よりも低くすると共に、燃料の動粘度が前記予め定められた動粘度よりも高いときには燃料噴射弁から噴射する燃料の圧力を前記予め定められた圧力よりも高くすることを特徴とする内燃機関の燃料噴射制御装置。
【発明の詳細な説明】
【技術分野】
【０００１】
本発明は、内燃機関の燃料噴射制御装置に関する。
【背景技術】
【０００２】
特許文献１にディーゼルエンジンの燃料噴射制御装置が記載されている。特許文献１によれば、ディーゼルエンジンが始動されるときに燃料噴射弁から噴射される燃料の粘性が低いと、洩流量が多くなり、その結果、燃料噴射弁から噴射される燃料の量が目標量よりも少なくなる。そして、特許文献１に記載された燃料噴射制御装置では、燃料の粘性が低いときには、燃料噴射弁から噴射される燃料の量を目標量に制御するために、燃料噴射弁から噴射させる燃料の量を増量するようにしている。
【０００３】
【特許文献１】特開２０００−０１８０５８号公報
【特許文献２】特開平１１−２２９９２５号公報
【特許文献３】特開２００２−０２１６１０号公報
【発明の開示】
【発明が解決しようとする課題】
【０００４】
ところで、圧縮着火式の内燃機関を始動させようとするときには、一般的に、燃料噴射弁から比較的多くの燃料を噴射させる。そして、圧縮着火式の内燃機関の始動に関しては、クランキングの開始から始めて燃焼が開始するまでにかかる時間を機関始動時間と称したとき、機関始動時間が短いほうが好ましいが、あまり短い必要はない。ここで、機関始動時間が短いということは、燃料噴射弁から噴射する燃料の量（以下「燃料噴射量」という）を少なくしたとしても、機関始動時間は、或る一定の時間内に収まることを意味している。一方、機関始動時間が長いということは、燃料噴射量を多くしなければ、機関始動時間が或る一定の時間内に収まらないことを意味している。
【０００５】
いずれにしても、機関始動時間が或る一定の時間であれば十分であり、また、内燃機関の分野では、燃費をできるだけ向上させることが要請されることから、機関始動時間が短くなることが予想されたときには、燃料噴射量を少なくしたほうが好ましい。もちろん、機関始動時間が長くなることが予想されたときには、燃料噴射量を多くして、機関始動時間が或る一定の時間内に収まるようにする必要がある。
【０００６】
本発明の目的は、内燃機関を始動させようとしたときに機関始動時間を目標とする機関始動時間の少なくとも近傍に制御すると共に燃費の向上を図ることにある。
【課題を解決するための手段】
【０００７】
上記課題を解決するために、１番目の発明では、燃料噴射弁から噴射される燃料の動粘度が予め定められた動粘度であるときに内燃機関を始動させようとしてから予め定められた時間で燃焼を開始させることができる燃料の量を目標燃料量として該目標燃料量の燃料を燃料噴射弁から噴射する内燃機関の燃料噴射制御装置において、燃料の動粘度が前記予め定められた動粘度よりも低いときには燃料噴射弁から噴射する燃料の量を前記目標燃料量よりも少なくすると共に、燃料の動粘度が前記予め定められた動粘度よりも高いときには燃料噴射弁から噴射する燃料の量を前記目標燃料量よりも多くする。
【０００８】
上記課題を解決するために、２番目の発明では、燃料噴射弁から噴射される燃料の圧力を予め定められた圧力に制御すると共に、燃料噴射弁から噴射される燃料の動粘度が予め定められた動粘度であるときに内燃機関を始動させようとしてから予め定められた時間で燃焼を開始させることができる燃料の量を目標燃料量として該目標燃料量の燃料を燃料噴射弁から噴射する内燃機関の燃料噴射制御装置において、燃料の動粘度が前記予め定められた動粘度よりも低いときには燃料噴射弁から噴射する燃料の圧力を前記予め定められた圧力よりも低くすると共に、燃料の動粘度が前記予め定められた動粘度よりも高いときには燃料噴射弁から噴射する燃料の圧力を前記予め定められた圧力よりも高くする。
【発明の効果】
【０００９】
１番目の発明によれば、内燃機関を始動させようとしたときに内燃機関を始動させようとしてから燃焼が開始するまでの時間が予め定められた時間の少なくとも近傍に制御されると共に、燃費が向上する。すなわち、燃料の動粘度が低いときには内燃機関を始動させようとしてから燃焼が開始するまでにかかる時間が短くなる傾向にあるが、このとき、１番目の発明によれば、燃料噴射弁から噴射する燃料の量を少なくするので、内燃機関を始動させようとしてから燃焼が開始するまでの時間が予め定められた時間の少なくとも近傍に制御されると共に、燃料噴射弁から噴射する燃料の量を少なくした分だけ燃費が向上する。一方、燃料の動粘度が高いときには内燃機関を始動させようとしてから燃焼が開始するまでにかかる時間が長くなる傾向にあるが、このとき、１番目の発明によれば、燃料噴射弁から噴射する燃料の量を多くするので、少なくとも、内燃機関を開始させようとしてから燃焼が開始するまでの時間が予め定められた時間の少なくとも近傍に制御される。
【００１０】
また、２番目の発明によれば、内燃機関を始動させようとしたときに内燃機関を始動させようとしてから燃焼が開始するまでの時間が予め定められた時間の少なくとも近傍に制御されると共に、燃費が向上する。すなわち、燃料の動粘度が低いときには内燃機関を始動させようとしてから燃焼が開始するまでにかかる時間が短くなる傾向にあるが、このとき、２番目の発明によれば、燃料噴射弁から噴射する燃料の圧力を低くするので、燃料噴射弁から噴射される燃料の量が少なくなり、その結果、内燃機関を始動させようとしてから燃焼が開始するまでの時間が予め定められた時間の少なくとも近傍に制御されると共に、燃料噴射弁から噴射する燃料の量が少なくなる分だけ燃費が向上する。一方、燃料の動粘度が高いときには内燃機関を始動させようとしてから燃焼が開始するまでにかかる時間が長くなる傾向にあるが、このとき、２番目の発明によれば、燃料噴射弁から噴射する燃料の圧力を高くするので、燃料噴射弁から噴射される燃料の量が多くなり、その結果、少なくとも、内燃機関を始動させようとしてから燃焼が開始するまでの時間が予め定められた時間の少なくとも近傍に制御される。
【発明を実施するための最良の形態】
【００１１】
以下、図面を参照して本発明の実施の形態について説明する。図１は、本発明の燃料噴射制御装置を備えた内燃機関を示している。図１に示した内燃機関は、圧縮着火式の内燃機関である。図１において、１は機関本体、２はシリンダブロック、３はシリンダヘッド、４はピストン、５は燃焼室、６は電気制御式の燃料噴射弁、７は吸気弁、８は吸気ポート、９は排気弁、１０は排気ポートをそれぞれ示している。燃料噴射弁６は、燃料を燃焼室５内に直接噴射する。また、吸気ポート８は、対応する吸気枝管１１を介してサージタンク１２に連結されている。サージタンク１２は、吸気ダクト１３およびインタークーラ１４を介して過給機１５のコンプレッサ１６の出口部に連結されている。コンプレッサ１６の入口部は、吸気管１７を介してエアクリーナ１８に連結されている。また、吸気管１７内には、ステップモータ１９によって駆動されるスロットル弁２０が配置されている。また、スロットル弁２０上流の吸気管１７には、燃焼室５内に吸入される空気の質量流量を検出するための質量流量検出器２１が配置されている。
【００１２】
一方、排気ポート１０は、排気マニホルド２２を介して過給機１５の排気タービン２３の入口部に連結されている。排気タービン２３の出口部は、排気管２４を介してパティキュレートフィルタ２５を内蔵したケーシング２６に連結されている。排気マニホルド２２には、空燃比センサ２７が取り付けられている。
【００１３】
また、ケーシング２６の出口部に連結された排気管２８とスロットル弁２０下流の吸気管１７とは、排気ガス再循環（以下「ＥＧＲ」という）通路２９を介して互いに連結される。ＥＧＲ通路２９内には、ステップモータ３０によって駆動されるＥＧＲ制御弁３１が配置される。また、ＥＧＲ通路２９内には、そこを流れるＥＧＲガスを冷却するインタークーラ３２が配置される。図１に示した実施形態では、機関冷却水がインタークーラ３２内に導かれ、機関冷却水によりＥＧＲガスが冷却される。
【００１４】
また、燃料噴射弁６は、燃料供給管３３を介して燃料リザーバ、すなわち、いわゆるコモンレール３４に連結されている。コモンレール３４内には、電気制御式の吐出量可変な燃料ポンプ３５から燃料が供給される。コモンレール３４内に供給された燃料は、各燃料供給管３３を介して対応する燃料噴射弁６に供給される。コモンレール３４には、その中の燃料圧を検出する燃料圧センサ３６が取り付けられる。この燃料圧センサ３６の出力信号に基づいてコモンレール３４内の燃料圧が目標燃料圧となるように燃料ポンプ３５の吐出量が制御される。
【００１５】
電子制御ユニット４０は、デジタルコンピュータからなり、双方向性バス４１により互いに接続されたＲＯＭ（リードオンリメモリ）４２、ＲＡＭ（ランダムアクセスメモリ）４３、ＣＰＵ（マイクロプロセッサ）４４、入力ポート４５および出力ポート４６を具備する。質量流量検出器２１、空燃比センサ２７、および、燃料圧センサ３６の出力信号は、それぞれ、対応するＡＤ変換器４７を介して入力ポート４５に入力される。アクセルペダル５０には、その踏込量に比例した出力電圧を発生する負荷センサ５１が接続されている。負荷センサ５１の出力電圧は、対応するＡＤ変換器４７を介して入力ポート４５に入力される。また、入力ポート４５には、クランクシャフトが例えば３０°回転する毎に出力パルスを発生するクランク角センサ５２が接続されている。一方、出力ポート４６は、対応する駆動回路４８を介して燃料噴射弁６、スロットル弁制御用ステップモータ１９、ＥＧＲ制御弁制御用ステップモータ３０、および、燃料ポンプ３５に接続され、これらの作動は、電子制御ユニット４０により制御される。
【００１６】
次に、第１実施形態の燃料噴射制御装置による燃料噴射制御について説明する。第１実施形態の燃料噴射制御では、内燃機関を始動させようとしたとき（以下「機関始動時」という）には、基本的には、以下のように燃料噴射弁６から噴射する燃料の量（以下「燃料噴射量」という）を制御する。すなわち、まず、燃料噴射弁６から噴射する燃料の動粘度が予め定められた動粘度（以下「所定動粘度」という）であることを前提にしたときに内燃機関を始動させようとしてから実際に燃焼が開始するまでの時間（以下「機関始動時間」という）が予め定められた時間（以下「所定機関始動時間」という）となる燃料の量を目標燃料量として実験等によって予め求めておく。そして、機関始動時、燃料噴射弁６から上記目標燃料量の燃料が噴射されるように燃料噴射弁６の開弁時間を制御する。これによれば、燃料の動粘度が所定動粘度であれば、内燃機関を始動させようとしてから所定機関始動時間で燃焼が開始される、すなわち、内燃機関が始動することになる。
【００１７】
なお、上述した実施形態では、目標燃料量を求める際に燃料の動粘度のみを考慮しているが、これに加えて外気温度を考慮し、燃料の動粘度と外気温度との関数でもって目標燃料量を求めてもよい。
【００１８】
ところで、上述したように、機関始動時、燃料噴射量を上記目標燃料量に制御したときに機関始動時間が所定機関始動時間になるのは、燃料の動粘度が所定動粘度である場合である。したがって、燃料の動粘度が所定動粘度でない場合には、機関始動時に燃料噴射量を上記目標燃料量に制御したとしても、機関始動時間は、所定機関始動時間にならない。詳細には、動粘度が所定動粘度よりも低い燃料は、動粘度が所定動粘度である燃料に比べて気化しやすい。このため、機関始動時、燃料噴射量を上記目標燃料量に制御すると、機関始動時間は、所定機関始動時間よりも短くなる。一方、動粘度が所定動粘度よりも高い燃料は、動粘度が所定動粘度である燃料に比べて気化しづらい。このため、機関始動時、燃料噴射量を上記目標燃料量に制御すると、機関始動時間は、所定機関始動時間よりも長くなる。そして、本願の発明者の研究により、燃料の動粘度と機関始動時間との間には、図２に示したように或る程度の比例関係があることが判明した。
【００１９】
ここで、機関始動時間が所定機関始動時間よりも長いことは好ましくないが、機関始動時間が所定機関始動時間よりも短い必要はない。すなわち、機関始動時間は、所定機関始動時間程度であれば十分であり、すなわち、機関始動時、内燃機関が所定機関始動時間で始動すれば十分である。そこで、第１実施形態の燃料噴射制御では、燃料の動粘度が所定動粘度よりも低いほど燃料噴射量を上記目標燃料量よりも少なくし、燃料の動粘度が所定動粘度よりも高いほど燃料噴射量を上記目標燃料量よりも多くする。これによれば、燃料の動粘度が所定動粘度よりも低く、機関始動時間が所定機関始動時間よりも短くなる傾向があるときに、燃料噴射量が上記目標燃料量よりも少なくされるので、機関始動時間が所定機関始動時間に制御されるか、或いは、少なくとも所定機関始動時間近傍に制御される。一方、燃料の動粘度が所定動粘度よりも高く、機関始動時間が所定機関始動時間よりも長くなる傾向があるときに、燃料噴射量が上記目標燃料量よりも多くされるので、機関始動時間が所定機関始動時間に制御されるか、或いは、少なくとも所定機関始動時間近傍に制御される。このように、第１実施形態の燃料噴射制御によれば、燃料の動粘度が所定動粘度よりも低いときであっても高いときであっても、機関始動時間が所定機関始動時間に制御されるか、或いは、少なくとも所定機関始動時間近傍に制御される。また、燃料の動粘度が所定動粘度よりも低いときには燃料噴射量を目標燃料量よりも少なくすることから、その分、燃費が向上する。また、燃料の動粘度が所定動粘度よりも低いときには、燃料噴射量を目標燃料量よりも少なくすることから、過剰な量の燃料が燃料噴射弁６から噴射されることがなく、したがって、機関始動時に、燃焼室５から多量のＨＣが排出されたり白煙や黒煙が排出されたりすることが抑制される。
【００２０】
なお、第１実施形態の燃料噴射制御において、機関始動時、燃料の動粘度が所定動粘度よりも低いときには燃料噴射量を上記目標燃料量よりも一定量だけ少なくし、燃料の動粘度が所定動粘度よりも高いときには燃料噴射量を上記目標燃料量よりも一定量だけ多くするようにしてもよい。或いは、第１実施形態の燃料噴射制御において、機関始動時、燃料の動粘度が所定動粘度よりも一定値以上低いほど燃料噴射量を目標燃料よりも少なくし、燃料の動粘度が所定動粘度よりも一定値以上高いほど燃料噴射量を目標燃料よりも多くしてもよい。或いは、第１実施形態の燃料噴射制御において、機関始動時、燃料の動粘度が所定動粘度よりも一定値以上低いときに燃料噴射量を目標燃料量よりも一定量だけ少なくし、燃料の動粘度が所定動粘度よりも一定値以上高いときに燃料噴射量を目標燃料量よりも一定量だけ多くしてもよい。
【００２１】
図３は、第１実施形態の燃料噴射制御を実行するルーチンの一例を示している。図３のルーチンでは、始めに、ステップ１０において、燃料の動粘度ＫＶが検出される。次いで、ステップ１１において、燃料の動粘度ＫＶが所定動粘度ＫＶｔｈである（ＫＶ＝ＫＶｔｈ）であるか否かが判別される。ここで、ＫＶ＝ＫＶｔｈであると判別されたときには、ステップ１２に進んで、燃料噴射量制御Ｉが実行される。すなわち、ここでは、燃料噴射量が上記目標燃料量となるように燃料噴射弁６の開弁時間が制御される。一方、ステップ１１において、ＫＶ≠ＫＶｔｈであると判別されたときには、ステップ１３に進んで、燃料噴射量制御ＩＩが実行される。すなわち、ここでは、燃料の動粘度ＫＶが所定動粘度ＫＶｔｈよりも低いときには低いほど、燃料噴射量が上記目標燃料量よりも少なくなるように燃料噴射弁６の開弁時間が制御され、燃料の動粘度ＫＶが所定動粘度ＫＶｔｈよりも高いときには高いほど、燃料噴射量が上記目標燃料量よりも多くなるように燃料噴射弁６の開弁時間が制御される。
【００２２】
次に、第２実施形態の燃料噴射制御について説明する。第２実施形態の燃料噴射制御では、燃料の動粘度が所定動粘度であるときには、第１実施形態の燃料噴射制御と同様に、燃料噴射量が上記目標燃料量となるように燃料噴射弁６の開弁時間を制御する。一方、燃料の動粘度が所定動粘度よりも低いときには低いほど、コモンレール３４内の燃料の圧力（すなわち、燃料噴射弁６から噴射される燃料の圧力）が上記目標燃料圧よりも低くなるように燃料ポンプ３５の吐出量を制御する。一方、燃料の動粘度が所定動粘度よりも高いときには高いほど、コモンレール３４内の燃料の圧力が上記目標燃料圧よりも高くなるように燃料ポンプ３５の吐出量を制御する。
【００２３】
これによれば、燃料の動粘度が所定動粘度よりも低いときには、燃料噴射弁６から噴射される燃料の圧力が低くされるので、燃料噴射量が上記目標燃料量よりも少なくなり、燃料の動粘度が所定動粘度よりも高いときには、燃料噴射弁６から噴射される燃料の圧力が高くされるので、燃料噴射量が上記目標燃料量よりも多くなる。このため、第１実施形態の燃料噴射制御に関連して説明した理由と同じ理由で、燃料の動粘度が所定動粘度よりも低いときであっても高いときであっても、機関始動時間が所定機関始動時間に制御されるか、或いは、少なくとも所定機関始動時間近傍に制御される。また、燃料の動粘度が所定動粘度よりも低いときには燃料噴射量が目標燃料量よりも少なくされることから、その分、燃費が向上する。
【００２４】
なお、第２実施形態の燃料噴射制御において、機関始動時、燃料の動粘度が所定動粘度よりも低いときにはコモンレール３４内の燃料の圧力を上記目標燃料圧力よりも一定量だけ低くし、燃料の動粘度が所定動粘度よりも高いときにはコモンレール３４内の燃料の圧力を上記目標燃料圧力よりも一定量だけ高くするようにしてもよい。或いは、第２実施形態の燃料噴射制御において、機関始動時、燃料の動粘度が所定動粘度よりも一定値以上低いほどコモンレール３４内の燃料の圧力を目標燃料圧力よりも低くし、燃料の動粘度が所定動粘度よりも一定値以上高いほどコモンレール３４内の燃料の圧力を目標燃料圧力よりも高くするようにしてもよい。或いは、第２実施形態の燃料噴射制御において、機関始動時、燃料の動粘度が所定動粘度よりも一定値以上低いときにコモンレール３４内の圧力を目標燃料圧力よりも一定量だけ低くし、燃料の動粘度が所定動粘度よりも一定値以上高いときにコモンレール３４内の圧力を目標燃料圧力よりも一定量だけ高くしてもよい。
【００２５】
図４は、第２実施形態の燃料噴射制御を実行するルーチンの一例を示している。図４のルーチンでは、始めに、ステップ２０において、燃料の動粘度ＫＶが検出される。次いで、ステップ２１において、燃料の動粘度ＫＶが所定動粘度ＫＶｔｈである（ＫＶ＝ＫＶｔｈ）であるか否かが判別される。ここで、ＫＶ＝ＫＶｔｈであると判別されたときには、ステップ２２に進んで、燃料噴射圧制御Ｉが実行される。すなわち、ここでは、コモンレール３４内の燃料の圧力（すなわち、燃料噴射量６から噴射される燃料の圧力）が上記目標燃料圧力となるように燃料ポンプ３５の吐出量が制御される。一方、ステップ２１において、ＫＶ≠ＫＶｔｈであると判別されたときには、ステップ２３に進んで、燃料噴射圧制御ＩＩが実行される。すなわち、ここでは、燃料の動粘度ＫＶが所定動粘度ＫＶｔｈよりも低いときには低いほど、コモンレール３４内の燃料の圧力が上記目標燃料圧力よりも低くなるように燃料ポンプ３５の吐出量が制御され、燃料の動粘度ＫＶが所定動粘度ＫＶｔｈよりも高いときには高いほど、コモンレール３４内の燃料の圧力が上記目標燃料圧力よりも高くなるように燃料ポンプ３５の吐出量が制御される。
【００２６】
なお、図３および図４のルーチンでは、ステップ１１およびステップ２１において、燃料の動粘度ＫＶが所定動粘度ＫＶｔｈであるか否かを判別しているが、これに代えて、燃料の動粘度ＫＶが所定動粘度ＫＶｔｈに対して一定値αの範囲内にある（ＫＶｔｈ−α＜ＫＶ＜ＫＶｔｈ＋α）か否かを判別するようにしてもよい。この場合、ＫＶｔｈ−α＜ＫＶ＜ＫＶｔｈ＋αであると判別されたときには、ステップ１２またはステップ２２に進み、ＫＶｔｈ−α＜ＫＶ＜ＫＶｔｈ＋αではないと判別されたときには、ステップ１３またはステップ２３に進む。
【図面の簡単な説明】
【００２７】
【図１】本発明の燃料噴射制御装置を備えた内燃機関を示した図である。
【図２】燃料の動粘度と機関始動時間との関係を示した図である。
【図３】第１実施形態の燃料噴射制御を実行するルーチンの一例を示した図である。
【図４】第２実施形態の燃料噴射制御を実行するルーチンの一例を示した図である。
【符号の説明】
【００２８】
４    ピストン
５    燃焼室
６    燃料噴射弁
７    吸気弁
９    排気弁
３４    コモンレール
３５    燃料ポンプ
【図１】
2007327422.tif 000003
【図２】
2007327422.tif 000004
【図３】
2007327422.tif 000005
【図４】
2007327422.tif 000006